【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
液晶パネルと、前記液晶パネルの背面側に設けられ前記液晶パネル用の照明手段から出射される光を前面側及び背面側へ導く光偏向パターンが施された導光板と、を有する液晶表示装置と、
前記液晶表示装置の背面側に配置され、複数の識別情報が配列されたリールを複数個並設した変動表示装置と、
前記導光板と前記リールの間に設けられ、前記導光板から出射された光を、前面側に反射する反射板と、を有し、
前記導光板の前記リールが対向する部位は、前記リールからの光が透過する光透過領域であり、遊技機の正面側から見て前記導光板の裏面には、前記光透過領域の周辺に第１の光偏向パターンが形成されるとともに、前記第１の光偏向パターンよりも前記光透過領域から離れた部分に第２の光偏向パターンが形成され、
前記第１の光偏向パターンにおけるパターンの密度は、前記第２の光偏向パターンにおけるパターンの密度よりも高く、
前記反射板においては、遊技機の正面側から見て高さ方向及び横方向からなる２次元座標上で、前記第１の光偏向パターンが形成された領域の外周端部と略一致する端部から内側の部分が切り抜かれている
ことを特徴とする遊技機。
【請求項２】
前記液晶表示装置は、前記液晶パネルと前記導光板との間に、前記リールが対向する部位を光が透過する領域とする光拡散手段を有し、
前記光拡散手段の光を透過する領域を通して視認し得る導光板の部分に、前記第１の光偏向パターンが形成されていることを特徴とする請求項１に記載の遊技機。
【請求項３】
前記導光板の端部から中央近傍までの所定の領域において、前記端部からの距離が大きくなるに従い、前記第２の光偏向パターンにおいて前記液晶パネルへ光を出射する部分の割合が高くなるように、前記第２の光偏向パターンが施されてあることを特徴とする請求項１又は請求項２に記載の遊技機。
【手続補正２】
【補正対象書類名】明細書
【補正対象項目名】０００８
【補正方法】削除
【補正の内容】
【手続補正３】
【補正対象書類名】明細書
【補正対象項目名】００１０
【補正方法】変更
【補正の内容】
【００１０】
そこで本発明は、液晶パネルを斜めから見ても美観を損ねることがなく、かつリール側へ出射される光の量が少なくなってしまうことを回避できる遊技機を提供することを目的とする。
【手続補正４】
【補正対象書類名】明細書
【補正対象項目名】００１１
【補正方法】変更
【補正の内容】
【００１１】
上記目的を達成するために、本発明の第１の特徴は、例えば、図３及び図４に示すように、液晶パネル（例えば、液晶パネル１７３）と、前記液晶パネルの背面側に設けられ前記液晶パネル用の照明手段（例えば、冷陰極管１７６ａ、１７６ｂ）から出射される光を前面側及び背面側へ導く光偏向パターン（例えば、後述の第１の光偏向パターン、第２の光偏向パターン）が施された導光板（例えば、導光板１７４）と、を有する液晶表示装置と（例えば、液晶表示装置２７）、前記液晶表示装置の背面側に配置され、複数の識別情報（例えば、図柄）が配列されたリール（例えば、リール３Ｌ、３Ｃ、３Ｒ）を複数個並設した変動表示装置と、前記導光板と前記リールの間に設けられ、前記導光板から出射された光を、前面側に反射する反射板と、を有し、前記導光板の前記リールが対向する部位は、前記リールからの光が透過する光透過領域であり、遊技機の正面側から見て前記導光板の裏面には、前記光透過領域の周辺に第１の光偏向パターンが形成されるとともに、前記第１の光偏向パターンよりも前記光透過領域から離れた部分に第２の光偏向パターンが形成され、前記第１の光偏向パターンにおけるパターンの密度は、前記第２の光偏向パターンにおけるパターンの密度よりも高く、前記反射板においては、遊技機の正面側から見て高さ方向及び横方向からなる２次元座標上で、前記第１の光偏向パターンが形成された領域の外周端部と略一致する端部から内側の部分が切り抜かれていることを特徴とするものである。
【手続補正５】
【補正対象書類名】明細書
【補正対象項目名】００１２
【補正方法】変更
【補正の内容】
【００１２】
このように構成すると、導光板のリールが対向する部位をリールからの光が透過する光透過領域とし、導光板には、前記光透過領域の周辺に第１の光偏向パターンが形成され、第１の光偏向パターンよりも前記光透過領域から離れた部分に第２の光偏向パターンが形成され、しかも第１の光偏向パターンにおけるパターンの密度は、第２の光偏向パターンにおけるパターンの密度よりも高いので、遊技者がリールを斜め方向から見たとしても、リールの周囲に先ず視認されるのは、第２の光偏向パターンよりもパターンの密度が高い第１の光偏向パターンであり、遊技者は、光偏向パターンの存在を認識しにくいので、遊技機の美観を損ねることがない。また、上記２次元座標上で、第１の光偏向パターンの領域と、反射板の領域とは重なっておらず、第２の光偏向パターンの領域だけが、反射板の領域と重なっている。このため、第１の光偏向パターンから出射された光の多くは、反射板で反射されることなく、リールに送られるので、従来技術に比べて、導光板から出射される光のほとんどが、液晶パネルに送られるのではなく、リール側へ出射される光の量をも多くすることができる。この結果、遊技機には、従来、リールの表示を照らすための補助用の冷陰極管が設けられる必要がなく、遊技機の構成を簡略化することが可能となる。更に、上記２次元座標上で、反射板においては、第１の光偏向パターンが形成された領域の外周端部と略一致する端部から内側の部分が切り抜かれているので、リール側に送られる光の量を多くするとともに、液晶パネル側に送られる光の量をも大きく下げることはない。例えば、第１の光偏向パターンが形成された領域と、第２の光偏向パターンが形成された領域との境界線１７４ｘの位置が、所定の位置（例えば、変更例２で示す所定の位置）に決められることにより、光透過領域（例えば、窓部４０Ｌ、４０Ｃ、４０Ｒ）から遊技者が視認できるリールの明るさと、遊技者が視認する液晶パネル１７３（例えば、窓部に対向する領域以外の液晶パネルの領域）の明るさとのバランスが保たれる。
【手続補正６】
【補正対象書類名】明細書
【補正対象項目名】００１４
【補正方法】変更
【補正の内容】
【００１４】
第２の特徴によれば、第１の光偏向パターン（微細な光偏向パターン）は、パターンの密度の高い光偏向模様（微細な光偏向模様）であるため、以下の効果が得られる。遊技者が斜め方向から液晶パネルを目視し、光拡散手段が配置されていない透過領域としての窓部から光拡散手段を介さずに導光板の裏面に施された光偏向パターン（例えば、導光板１７４の裏面の窓部４０Ｒ、４０Ｃ、４０Ｌの周辺に施された第１の光偏向パターン１７４ｅ）を目視できる状態であっても、目視できる光偏向パターンは、パターンの密度が高い微細なパターンであるので、遊技者は、光偏向パターンであると感じない。このため、光偏向パターンを光偏向パターンとして認識できる視覚ポイントはなく、遊技機の美観を損なわないという利点がある。
【手続補正７】
【補正対象書類名】明細書
【補正対象項目名】００１５
【補正方法】変更
【補正の内容】
【００１５】
また、本発明の第３の特徴は、本発明の第１の特徴又は第２の特徴において、前記導光板の端部から中央近傍までの所定の領域において、前記端部からの距離が大きくなるに従い、前記第２の光偏向パターンにおいて前記液晶パネルへ光を出射する部分の割合が高くなるように、前記第２の光偏向パターンが施されてあることを特徴とする。
【手続補正８】
【補正対象書類名】明細書
【補正対象項目名】００１６
【補正方法】変更
【補正の内容】
【００１６】
本発明によれば、導光板の端部の近傍の領域にて、上記出射部分から、液晶パネルに向けて出射される光の量は、抑えられ、導光板の中央近傍の領域にて、上記出射部分から、液晶パネルに向けて出射される光の量を多くすることができるような光偏向パターンの提供が可能となる。このように構成された光偏向パターンを導光板に用いることにより、例えば、端部の近傍の領域にて、上記出射部分を介して、液晶パネルに向けて出射される単位面積当たりの光の量と、中央近傍の領域にて、上記出射部分から、液晶パネルに向けて出射される単位面積当たりの光の量とを同程度にすることが可能となる。この結果、液晶表示が行われる際、光偏向パターンが施されている領域において、場所によらず、明るさが均一な発光が行われる。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】変更
【補正の内容】
【００２７】
以上説明したように、本発明によれば、遊技者がリールを斜め方向から見たとしても、リールの周囲に先ず視認されるのは、第２の光偏向パターンよりもパターンの密度が高い第１の光偏向パターンであるので、美観を損ねることがなく、かつ、リール側へ出射される光の量が少なくなってしまうことを回避できる遊技機を提供することが可能となる。